(57)【特許請求の範囲】
【請求項１】
蓄電素子と、
蓄電素子と第一方向で隣り合って配置されるスペーサと、
前記蓄電素子及び該スペーサを保持する保持部材と、
前記スペーサと前記保持部材との間に配置されるインシュレータと、を備え、
前記スペーサは、
前記第一方向で隣り合う蓄電素子との間に前記第一方向と直交する第二方向に通風路を形成するベースと、
該ベースから前記第一方向に延出する延出部と、を有し、
前記インシュレータは、
前記保持部材に当接した状態で該保持部材と前記スペーサの延出部との間に配置される第一の絶縁部と、
前記第一の絶縁部から延び且つ前記延出部に当接する第一のシール部と、を有し、
前記延出部は、前記第一のシール部と当接する被当接面を含み、
前記第一のシール部は、前記第一の絶縁部から第二方向に延出して前記被当接面に当接し、且つ、弾性を有するとともに、前記被当接面よりも剛性が低く、
前記被当接面は、前記第一のシール部が延出する方向に対して傾斜する、
蓄電装置。
【請求項２】
前記延出部は、前記第一方向及び前記第二方向のそれぞれに直交する第三方向におけるベースの両端のそれぞれから延出し、
前記インシュレータは、一対の前記第一のシール部を有し、
一方の第一のシール部は、前記第三方向における前記ベースの一端に形成される延出部に当接し、
他方の第一のシール部は、前記第三方向における前記ベースの他端に形成される延出部に当接する、
請求項１に記載の蓄電装置。
【請求項３】
前記第一方向に整列した複数の蓄電素子と、
前記複数の蓄電素子と隣り合うように配置される複数のスペーサと、を備え、
前記複数のスペーサのそれぞれは、
前記第一方向で隣り合う蓄電素子との間に通風路を形成するベースと、
該ベースから前記第一方向に延出する延出部と、を有し、
前記第一のシール部は、前記延出部のそれぞれと接触する突条である、
請求項１又は２に記載の蓄電装置。
【請求項４】
前記複数のスペーサのうち、前記第一方向における端部に配置されるスペーサは、
前記第一方向及び前記第二方向のそれぞれに直交する第三方向におけるベースの両端から延出する一対の延出部を繋ぐ接続辺を有し、
前記インシュレータは、
前記保持部材と前記端部に配置されるスペーサの接続辺との間に配置される第二の絶縁部と、
該第二の絶縁部から延びる第二のシール部であって、前記端部に配置されるスペーサの接続辺に当接する第二のシール部と、を有し、
該第二のシール部は、前記第一のシール部と連続する、
請求項３に記載の蓄電装置。
【請求項５】
第一方向に整列した複数の蓄電素子と、
前記複数の蓄電素子と第一方向で隣り合うように配置される複数のスペーサと、
前記複数の蓄電素子及び該複数のスペーサを保持する保持部材と、
前記複数のスペーサと前記保持部材との間に配置されるインシュレータと、を備え、
前記複数のスペーサのそれぞれは、
前記第一方向で隣り合う蓄電素子との間に前記第一方向と直交する第二方向に通風路を形成するベースと、
該ベースから前記第一方向に延出する延出部と、を有し、
前記インシュレータは、
前記保持部材に当接した状態で該保持部材と前記スペーサの延出部との間に配置される第一の絶縁部と、
前記第一の絶縁部から延び且つ前記延出部に当接する第一のシール部と、を有し、
前記第一のシール部は、前記延出部のそれぞれと接触する突条であり、
前記保持部材は、前記第一方向に長手をなすフレームを有し、
該フレームは、前記インシュレータの第一のシール部を介在させて前記複数のスペーサの延出部のそれぞれと隣り合うように配置される接続部を有し、
該フレームの接続部は、前記第一方向における中央部が前記インシュレータに向けて凸となるように湾曲する、
蓄電装置。
【請求項６】
蓄電素子と、
蓄電素子と第一方向で隣り合って配置されるスペーサと、
前記蓄電素子及び該スペーサを保持する保持部材と、
前記スペーサと前記保持部材との間に配置されるインシュレータと、を備え、
前記スペーサは、
前記第一方向で隣り合う蓄電素子との間に前記第一方向と直交する第二方向に通風路を
形成するベースと、
該ベースから前記第一方向に延出する延出部と、を有し、
前記インシュレータは、
前記保持部材に当接した状態で該保持部材と前記スペーサの延出部との間に配置される
第一の絶縁部と、
前記第一の絶縁部から延び且つ前記延出部に当接する第一のシール部と、を有し、
前記延出部は、前記第一のシール部と当接する被当接面を含み、
前記第一のシール部は、前記第一の絶縁部から該被当接面に対して傾斜する方向に延出し、
前記延出部の被当接面は、
第一の被当接面と、
該第一の被当接面と前記第三方向で並ぶ第二の被当接面とを含み、
前記第一のシール部は、
前記第一の被当接面に接触するシール部と、
前記第二の被当接面に接触するシール部と、を有する、
蓄電装置。
【請求項７】
前記第一の被当接面は、前記第二の被当接面よりも前記通風路に近い位置に配置され、
前記第一の被当接面に接触するシール部の突出長は、前記第二の被当接面に接触するシール部の突出長よりも大きい、
請求項６に記載の蓄電装置。
【請求項８】
前記第一のシール部は、
弾性を有するとともに、前記被当接面よりも剛性が低く、
前記第二方向に対して傾斜する方向に延出して前記被当接面に当接し、
前記被当接面は、前記第一方向と、前記第一方向及び前記第二方向のそれぞれに直交する第三方向とに広がる、
請求項６又は７に記載の蓄電装置。
【発明の詳細な説明】
【技術分野】
【０００１】
本発明は、蓄電素子を備える蓄電装置に関する。
【背景技術】
【０００２】
電気自動車、又はハイブリッド電気自動車では容量の大きな電源が必要なため、複数の電池セルを備えた電池ブロックが用いられる。
【０００３】
この種の電池ブロックは、第一方向に並ぶ複数の電池セルと、隣接する電池セル間に挿入される複数のセパレータと、前記第一方向において複数の電池セル及び複数のセパレータを挟む一対のエンドプレートと、該一対のエンドプレートのそれぞれに固定されるとともに、前記複数のセパレータのそれぞれに当接するバインドバーとを備える。
【０００４】
複数のセパレータのそれぞれは、隣接する電池セルの間に冷却流体を流すための送風隙間を形成する。従って、前記電池ブロックは、当該電池ブロックの周囲に送り込まれた冷却流体を各送風隙間に通過させることで、複数の電池セルのそれぞれを冷却できるように構成されている（例えば、特許文献１参照）。
【０００５】
ところで、前記電池ブロックでは、例えば、組立時や、使用時にバインドバーが撓むことによって、該バインドバーとセパレータとの間に隙間が生じることがある。このような場合、電池ブロックの周囲に送り込まれた冷却流体の一部がセパレータとバインドバーとの間の隙間を通過する。そのため、前記電池ブロックは、各送風隙間に入り込む冷却流体の流量が減少し、複数の電池セルの冷却性能が低下することがある。
【先行技術文献】
【特許文献】
【０００６】
【特許文献１】特開２０１０−２８７５５０号公報
【発明の概要】
【発明が解決しようとする課題】
【０００７】
そこで、本発明は、上記問題に鑑み、通風路を流れる冷却用の流体が減少することを抑えることができる蓄電装置を提供することを目的とする。
【課題を解決するための手段】
【０００８】
本発明に係る蓄電装置は、
蓄電素子と、
蓄電素子と第一方向で隣り合って配置されるスペーサと、
前記蓄電素子及び該スペーサを保持する保持部材と、
前記スペーサと前記保持部材との間に配置されるインシュレータと、を備え、
前記スペーサは、
前記第一方向で隣り合う蓄電素子との間に前記第一方向と直交する第二方向に通風路を形成するベースと、
該ベースから前記第一方向に延出する延出部と、を有し、
前記インシュレータは、
前記保持部材に当接した状態で該保持部材と前記スペーサの延出部との間に配置される第一の絶縁部と、
前記第一の絶縁部から延び且つ前記延出部に当接する第一のシール部と、を有する。
【０００９】
かかる構成によれば、インシュレータの第一の絶縁部が保持部材に当接し、第一の絶縁部と連続する第一のシール部がスペーサの延出部に当接する。そのため、蓄電装置では、保持部材とスペーサの延出部との間に流れ込もうとする冷却用の流体をインシュレータの第一の絶縁部とインシュレータの第一のシール部とによって遮ることができる。
【００１０】
従って、蓄電装置では、保持部材とスペーサの延出部との間に流れ込もうとする流体を各通風路に流通させることができる。このようにして、蓄電装置では、通風路を流れる冷却用の流体の減少が抑えられる。
【００１１】
この場合、
前記延出部は、前記第一のシール部と当接する被当接面を含み、
前記第一のシール部は、前記第一の絶縁部から該被当接面に対して傾斜する方向に延出する、
ようにしてもよい。
【００１２】
このようにしても、インシュレータの第一の絶縁部が保持部材に当接し、第一の絶縁部と連続する第一のシール部がスペーサの延出部に当接する。そのため、蓄電装置では、保持部材とスペーサの延出部との間に流れ込もうとする冷却用の流体をインシュレータの第一の絶縁部とインシュレータの第一のシール部とによって遮ることができる。
【００１３】
従って、蓄電装置では、保持部材とスペーサの延出部との間に流れ込もうとする流体を各通風路に流通させることができる。このようにして、蓄電装置では、通風路を流れる冷却用の流体の減少が抑えられる。
【００１４】
この場合、
前記第一のシール部は、弾性を有するとともに、前記被当接面よりも剛性が低い、
ようにしてもよい。
【００１５】
このようにすれば、第一のシール部は、延出部の被当接面に当接することで弾性変形する。これにより、第一のシール部に弾性力が生じて、第一のシール部が被当接面から離れ難くなる。その結果、蓄電装置では、保持部材とスペーサの延出部との間に流れ込もうとする流体がより確実に遮られる。
【００１６】
本発明において、
前記インシュレータの第一のシール部は、
前記第二方向に延出して前記被当接面に当接し、
前記被当接面は、前記第一のシール部が延出する方向に対して傾斜する、
ようにしてもよい。
【００１７】
このようにすれば、第二方向に延出する第一のシール部が被当接面に対して傾斜した状態で当接するため、該第一のシール部が弾性変形する。このように、蓄電装置では、第一のシール部に弾性力を生じさせて、該第一のシール部を被当接面から離れ難くすることができる。従って、蓄電装置では、保持部材とスペーサの延出部との間に流れ込もうとする流体がより確実に遮られる。
【００１８】
本発明において、
前記延出部は、前記第一方向及び前記第二方向のそれぞれに直交する第三方向におけるベースの両端のそれぞれから延出し、
前記インシュレータは、一対の前記第一のシール部を有し、
一方の第一のシール部は、前記第三方向における前記ベースの一端に形成される延出部に当接し、
他方の第一のシール部は、前記第三方向における前記ベースの他端に形成される延出部に当接する、
ようにしてもよい。
【００１９】
このようにすれば、蓄電装置では、前記第三方向における前記ベースの両端の延出部と保持部材との間に流れ込もうとする流体を第一の絶縁部と第一のシール部とによって遮ることができる。すなわち、蓄電装置では、前記第三方向の両端において、保持部材とスペーサとの間に流れ込もうとする流体を第一の絶縁部と第一のシール部とによって遮ることができる。
【００２０】
従って、蓄電装置では、前記第三方向における前記ベースの両端の延出部のそれぞれと保持部材との間に流れ込もうとする流体を各通風路に流通させることができる。このようにして、蓄電装置では、通風路を流れる冷却用の流体の減少が抑えられる。
【００２１】
本発明において、
前記インシュレータの第一のシール部は、前記第二方向に対して傾斜する方向に延出して前記被当接面に当接し、
前記被当接面は、前記第一方向と、前記第一方向及び前記第二方向のそれぞれに直交する第三方向とに広がる、
ようにしてもよい。
【００２２】
このようにしても、第二方向に対して傾斜する方向に延出する第一のシール部を該被当接面に対して傾斜した状態で当接させ、該第一のシール部を弾性変形させることができる。そのため、蓄電装置では、第一のシール部に弾性力を生じさせることによって、該第一のシール部を被当接面から離れ難くすることができる。従って、蓄電装置では、保持部材とスペーサの延出部との間に流れ込もうとする流体がより確実に遮られる。
【００２３】
本発明において、
前記第一方向に整列した複数の蓄電素子と、
前記複数の蓄電素子と隣り合うように配置される複数のスペーサと、を備え、
前記複数のスペーサのそれぞれは、
前記第一方向で隣り合う蓄電素子との間に通風路を形成するベースと、
該ベースから前記第一方向に延出する延出部と、を有し、
前記第一のシール部は、前記延出部のそれぞれと接触する突条である、
ようにしてもよい。
【００２４】
このようにすれば、蓄電装置において、保持部材と複数のスペーサのそれぞれの延出部との間に流れ込もうとする冷却用の流体が複数のスペーサのそれぞれの延出部と第一のシール部とによって遮られる。
【００２５】
そのため、蓄電装置では、保持部材と複数のスペーサのそれぞれの延出部との間に流れ込もうとする流体を各通風路に流通させることができる。従って、蓄電装置では、通風路を流れる冷却用の流体の減少が抑えられる。
【００２６】
この場合、
前記複数のスペーサのうち、前記第一方向における端部に配置されるスペーサは、前記第一方向及び前記第二方向のそれぞれに直交する第三方向におけるベースの両端から延出する一対の延出部を繋ぐ接続辺を有し、
前記インシュレータは、
前記保持部材に当接した状態で該保持部材と前記端部に配置されるスペーサの接続辺との間に配置される第二の絶縁部と、
該第二の絶縁部から延びる第二のシール部であって、前記端部に配置されるスペーサの接続辺に当接する第二のシール部と、を有し、
該第二のシール部は、前記第一のシール部と連続する、
ようにしてもよい。
【００２７】
このようにすれば、蓄電装置では、前記第一方向における端部に配置されるスペーサの接続辺と保持部材との間に流れ込もうとする流体が第二の絶縁部と第二のシール部とによって遮られる。すなわち、蓄電装置では、前記第一方向の両端においても、保持部材とスペーサとの間に流れ込もうとする流体が第二の絶縁部と第二のシール部とによって遮られる。
【００２８】
従って、蓄電装置は、保持部材と前記複数のスペーサの延出部のそれぞれとの間に流れ込もうとする流体に加えて、前記両端に配置されるスペーサの接続辺と保持部材との間に流れ込もうとする流体も、各通風路に流通させることができる。これにより、蓄電装置では、通風路を流れる冷却用の流体の減少がより確実に抑えられる。
【００２９】
この場合、
前記保持部材は、前記第一方向に長手をなすフレームを有し、
該フレームは、前記インシュレータの第一のシール部を介在させて前記複数のスペーサの延出部のそれぞれと隣り合うように配置される接続部を有し、
該フレームの接続部は、前記第一方向における中央部が前記インシュレータに向けて凸となるように湾曲する、
ようにしてもよい。
【００３０】
このようにすれば、前記第一方向におけるインシュレータの中央部は、前記第一方向における前記接続部の中央部と前記スペーサの延出部とにより強固に挟み込まれる。
【００３１】
すなわち、前記第一方向におけるインシュレータの第一の絶縁部の中央部がフレームの接続部に対してより強く押し付けられるとともに、前記第一方向における第一のシール部の中央部がスペーサの延出部により強く押し付けられる。
【００３２】
このように、蓄電装置では、フレームの接続部が撓むことによって、第一の絶縁部がフレームの接続部から離れたり、第一のシール部が延出部の被当接面から離れたりしてしまうことをより確実に防止することができる。
【００３３】
これにより、蓄電装置では、保持部材と前記複数のスペーサの延出部のそれぞれとの間に流れ込もうとする流体がインシュレータの第一の絶縁部とインシュレータの第一のシール部とによってより確実に遮られる。従って、蓄電装置では、通風路を流れる冷却用の流体の減少がより確実に抑えられる。
【００３４】
本発明において、
前記延出部の被当接面は、
第一の被当接面と、
該第一の被当接面と前記第三方向で並ぶ第二の被当接面とを含み、
前記第一のシール部は、
前記第一の被当接面に接触するシール部と、
前記第二の被当接面に接触するシール部と、を有する、
ようにしてもよい。
【００３５】
このようにすれば、保持部材とスペーサの延出部との間に流れ込もうとする冷却用の流体を第一の被当接面とシール部とが接触する部分と、第二の被当接面とシール部とが接触する部分とによって遮ることができる。そのため、蓄電装置では、保持部材とスペーサの延出部との間に流れ込もうとする流体がより確実に遮られる。従って、蓄電装置では、通風路を流れる冷却用の流体の減少がより確実に抑えられる。
【００３６】
この場合、
前記第一の被当接面は、前記第二の被当接面よりも前記通風路に近い位置に配置され、  前記第一の被当接面に接触するシール部の突出長は、前記第二の被当接面に接触するシール部の突出長よりも大きくなる、
ようにしてもよい。
【００３７】
このようにすれば、第二の被当接面よりも通風路に近い位置に配置される第一の被当接面にシール部が密着し易くなる。そのため、蓄電装置では、保持部材とスペーサの延出部との間に流れ込もうとする流体をより確実に遮ることができるようになり、通風路を流れる冷却用の流体の減少がより確実に抑えられる。
【００３８】
本発明に係る別の蓄電装置は、
蓄電素子と、
前記蓄電素子と第一方向で隣り合うように配置されるスペーサと、
前記蓄電素子及び前記スペーサを保持する保持部材と、
前記スペーサと前記保持部材との間に配置されるインシュレータと、を備え、
前記スペーサは、
前記第一方向で隣り合う蓄電素子との間に前記第一方向と直交する第二方向に通風路を形成するベースと、
該ベースから前記第一方向に延出する延出部であって、前記第一方向及び前記第二方向のそれぞれと直交する第三方向の両端のそれぞれから延出する一対の延出部と、
前記一対の延出部を繋ぐ接続辺と、を有し、
前記インシュレータは、
前記保持部材に当接した状態で該保持部材と前記スペーサの接続辺との間に配置される絶縁部と、
前記絶縁部から延び且つ前記接続辺に当接するシール部と、を有する。
【００３９】
かかる構成によれば、インシュレータの絶縁部が保持部材に当接し、絶縁部と連続するシール部が前記スペーサの接続片に当接する。そのため、蓄電装置では、保持部材とスペーサの接続辺との間に流れ込もうとする冷却用の流体をインシュレータの絶縁部とインシュレータのシール部とによって遮ることができる。
【００４０】
従って、蓄電装置では、保持部材とスペーサの接続辺との間に流れ込もうとする流体を各通風路に流通させることができる。このようにして、蓄電装置では、通風路を流れる冷却用の流体の減少が抑えられる。
【００４１】
また、本発明に係る別の蓄電装置は、
蓄電素子と、
前記蓄電素子と第一方向で隣り合うように配置されるスペーサと、
前記蓄電素子及び前記スペーサを保持する保持部材と、
前記スペーサと前記保持部材との間に配置されるインシュレータと、を備え、
前記スペーサは、
前記第一方向で隣り合う蓄電素子との間に前記第一方向と直交する第二方向に通風路を形成するベースと、
該ベースから前記第一方向に延出する延出部と、を有し、
前記インシュレータは、前記保持部材に当接した状態で該保持部材と前記延出部との間に配置される絶縁部を有し、
前記延出部は、前記絶縁部材に当接するシール部を有する。
【００４２】
かかる構成によれば、インシュレータの絶縁部が保持部材に当接すると共に、スペーサの延出部のシール部に当接する。そのため、蓄電装置では、保持部材とスペーサの延出部との間に流れ込もうとする冷却用の流体をインシュレータの絶縁部によって遮ることができる。
【００４３】
従って、蓄電装置では、保持部材とスペーサの延出部との間に流れ込もうとする流体を各通風路に流通させることができる。このようにして、蓄電装置では、通風路を流れる冷却用の流体の減少が抑えられる。
【００４４】
また、本発明に係る別の蓄電装置は、
蓄電素子と、
前記蓄電素子と第一方向で隣り合うように配置されるスペーサと、
前記蓄電素子及び前記スペーサを保持する保持部材と、
前記スペーサと前記保持部材との間に配置されるインシュレータと、
前記スペーサと前記インシュレータとの間に配置されるシール部材と、を備え、
前記スペーサは、
前記第一方向で隣り合う蓄電素子との間に前記第一方向と直交する第二方向に通風路を形成するベースと、
該ベースから前記第一方向に延出する延出部と、を有し、
前記インシュレータは、前記保持部材に当接した状態で該保持部材と前記延出部との間に配置される絶縁部を有し、
前記シール部材は、前記延出部と前記絶縁部との間に挟み込まれている。
【００４５】
かかる構成によれば、シール部材がインシュレータの絶縁部に当接すると共に、スペーサの延出部にも当接する。そのため、蓄電装置では、スペーサの延出部とインシュレータとの間に流れ込もうとする冷却用の流体をシール部材によって遮ることができる。
【発明の効果】
【００４６】
以上より、本発明によれば、通風路を流れる冷却用の流体が減少することを抑えることができる蓄電装置を提供することができる。
【図面の簡単な説明】
【００４７】
【図１】図１は、本発明の一実施形態に係る蓄電装置の斜視図である。
【図２】図２は、同実施形態に係る蓄電装置の側面図である。
【図３】図３は、同実施形態に係る蓄電装置に係る蓄電素子の斜視図である。
【図４】図４は、同実施形態に係る蓄電装置に係る蓄電素子の正面図である。
【図５】図５は、同実施形態に係る蓄電装置の構成の一部を省略した状態の分解斜視図である。
【図６】図６は、同実施形態に係る蓄電装置の内部スペーサ及び外部スペーサ及び蓄電素子の斜視図である。
【図７】図７は、同実施形態に係る蓄電装置の内部スペーサ及び一方の外部スペーサ及び蓄電素子の斜視図である。
【図８】図８は、同実施形態に係る蓄電装置の内部スペーサ及び他方の外部スペーサ及び蓄電素子の斜視図である。
【図９】図９は、同実施形態に係る蓄電装置の断面図であって、ダクトが取り付けられている蓄電装置の断面図である。
【図１０】図１０は、同実施形態に係る蓄電装置の断面図であって、図５におけるＸ−Ｘ線における断面図である。
【図１１】図１１は、同実施形態に係る蓄電装置の断面図であって、図５におけるＸＩ−ＸＩ線における断面図である。
【図１２】図１２は、同実施形態に係る蓄電装置の断面図であって、図５におけるＸＩＩ−ＸＩＩ線における断面図である。
【発明を実施するための形態】
【００４８】
以下、本発明の蓄電装置の一実施形態について、図面を参照しつつ説明する。尚、本実施形態の各構成部材の名称は、本実施形態におけるものであり、背景技術における各構成部材の名称と異なる場合がある。
【００４９】
蓄電装置は、図１に示すように、蓄電素子１と、該蓄電素子１に隣り合うスペーサ２と、蓄電素子１及びスペーサ２をひとまとめに保持する保持部材３とを備える。保持部材３は、導電材料により成形される。これに伴い、蓄電装置は、蓄電素子１と保持部材３との間に配置されるインシュレータ４を備える。
【００５０】
蓄電素子１は、図３及び図４に示すように、正極及び負極を含む電極体と、電極体を収容するケース１０と、ケース１０の外面上に配置された一対の外部端子１１とを備える。
【００５１】
ケース１０は、開口を有するケース本体１００と、ケース本体１００の開口を閉じる蓋板１０１であって、外面上に一対の外部端子１１が配置される蓋板１０１とを有する。
【００５２】
ケース本体１００は、閉塞部１００ａと（図４参照）、該閉塞部１００ａを取り囲むように、該閉塞部１００ａの周縁に接続された筒状の胴部１００ｂとを備える。
【００５３】
胴部１００ｂは、間隔をあけて互いに対向する一対の第一壁１００ｃと、一対の第一壁１００ｃを挟んで互いに対向する一対の第二壁１００ｄとを備える。
【００５４】
第一壁１００ｃ及び第二壁１００ｄのそれぞれは、矩形状に形成される。すなわち、第一壁１００ｃ及び第二壁１００ｄのそれぞれの表面は、平坦面であり、四角形状の領域とされている。第一壁１００ｃ及び第二壁１００ｄは、互いの端縁を突き合わせた状態で隣り合って配置される。これに伴い、隣り合う第一壁１００ｃの端縁及び第二壁１００ｄの端縁同士は、全長に亘って接続される。これにより、胴部１００ｂは、角筒状に形成されている。胴部１００ｂの一端は、閉塞部１００ａによって閉塞されている。これに対し、胴部１００ｂの他端は、開口し、蓋板１０１によって閉塞される。
【００５５】
本実施形態において、第一壁１００ｃの表面積は、第二壁１００ｄの表面積よりも広くなっている。これに伴い、胴部１００ｂは、扁平角筒状に形成される。
【００５６】
本実施形態に係る蓄電装置は、複数の蓄電素子１を備える。複数の蓄電素子１のそれぞれは、一方向に整列する。本実施形態において、複数の蓄電素子１のそれぞれは、ケース１０の第一壁１００ｃを一方向に向けて整列している。蓄電装置は、隣り合う二つの蓄電素子１の外部端子１１同士を電気的に接続するバスバーを備える。
【００５７】
なお、以下の説明において、便宜上、蓄電素子１の整列する方向（第一方向）をＸ軸方向という。また、蓄電素子１の整列する方向（Ｘ軸方向）と直交する二軸方向のうちの一つの方向（第二方向）をＹ軸方向といい、残りの一つの方向（第三方向）をＺ軸方向ということとする。これに伴い、各図面には、Ｘ軸方向、Ｙ軸方向、及びＺ軸方向のそれぞれに対応する直交三軸（座標軸）が補助的に図示されている。
【００５８】
スペーサ２は、絶縁性を有する。スペーサ２は、蓄電素子１のケース１０（胴部１００ｂの第一壁１００ｃ）と隣り合うベースと、該ベースに隣り合う蓄電素子１の位置ずれを防止する規制部とを有する。また、スペーサ２は、ベースからＸ軸方向に延出する延出部を有する。
【００５９】
なお、スペーサ２は、ポリプロピレン、ポリフェニレンスルフィド、又はポリブチレンテレフタレート等の材料で構成することができる。これらの材料は、ガラス繊維又はアラミド繊維等の繊維を含有することで、剛性が高められていることが好ましい。本実施形態に係るスペーサ２は、ガラス繊維を含有するポリプロピレンによって構成される。
【００６０】
スペーサ２について、より具体的に説明する。蓄電装置は、上述のように、複数の蓄電素子１を備える。これに伴い、蓄電装置は、それぞれがＸ軸方向で蓄電素子１と隣り合うように配置される複数のスペーサ２を備える。また、蓄電装置は、図５に示すように、２種類のスペーサ２（２Ａ，２Ｂ）を備える。すなわち、蓄電装置は、スペーサ２として、二つの蓄電素子１間に配置されるスペーサ（以下、内部スペーサという）２Ａと、複数の蓄電素子１のうちの最も端にある蓄電素子１に隣り合うスペーサ（以下、外部スペーサという）２Ｂとを備える。
【００６１】
まず、内部スペーサ２Ａについて説明する。内部スペーサ２Ａは、図６に示すように、蓄電素子１（ケース本体１００の第一壁１００ｃ）に隣り合うベース２０Ａと、該ベース２０Ａに隣り合う二つの蓄電素子１の位置ずれを防止する規制部２１Ａとを有する。さらに、内部スペーサ２Ａは、ベース２０ＡからＸ軸方向に延出する延出部２２Ａを有する（図６参照）。
【００６２】
内部スペーサ２Ａのベース２０Ａは、二つの蓄電素子１に挟み込まれる。そのため、内部スペーサ２Ａのベース２０Ａは、隣り合う二つの蓄電素子１のうちの一方の蓄電素子１と対向する第一面と、該第一面とは反対側の第二面であって、二つの蓄電素子１のうちの他方の蓄電素子１と対向する第二面とを有する。
【００６３】
内部スペーサ２Ａのベース２０Ａは、蓄電素子１の蓋板１０１に対応する位置に配置される第一端と、該第一端とは反対側の第二端であって、蓄電素子１の閉塞部１００ａに対応する位置に配置される第二端とを有する。また、内部スペーサ２Ａのベース２０Ａは、蓄電素子１の一方の第二壁１００ｄに対応する位置に配置される第三端と、該第三端とは反対側の第四端であって、蓄電素子１の他方の第二壁１００ｄに対応する位置に配置される第四端とを有する。
【００６４】
内部スペーサ２Ａのベース２０Ａは、該ベース２０Ａの第一端と第三端とが接続される部分である第一角部と、第一端と第四端とが接続される部分である第二角部とを有する。また、内部スペーサ２Ａのベース２０Ａは、第二端と第三端とが接続される部分である第三角部と、第二端と第四端とのそれぞれが接続される部分である第四角部とを有する。
【００６５】
なお、内部スペーサ２Ａのベース２０Ａの第一端及び第二端は、Ｙ軸方向に延びる。そして、内部スペーサ２Ａのベース２０Ａの第三端及び第四端は、Ｚ軸方向に延びる。そのため、内部スペーサ２Ａのベース２０Ａは、略矩形状に形成される。また、内部スペーサ２Ａのベース２０Ａは、蓄電素子１の第一壁１００ｃと略同等の大きさで形成される。
【００６６】
本実施形態に係る蓄電装置において、内部スペーサ２Ａのベース２０Ａの第一面と蓄電素子１との間及び内部スペーサ２Ａのベース２０Ａの第二面と蓄電素子１との間の少なくとも何れか一方には、流体（冷却用の流体）を通過させるための通風路２３Ａが形成される。すなわち、内部スペーサ２Ａのベース２０Ａは、Ｘ軸方向で隣り合う蓄電素子１との間（本実施形態では、Ｘ軸方向で隣り合う蓄電素子１のそれぞれとの間）に通風路２３Ａを形成する。
【００６７】
より具体的に説明する。本実施形態に係る蓄電素子１において、内部スペーサ２Ａのベース２０Ａは、矩形波形状に形成される。内部スペーサ２Ａのベース２０Ａは、隣り合う二つの蓄電素子１のうちの一方の蓄電素子１のみに当接する第一当接部２００Ａと、隣り合う二つの蓄電素子１のうちの他方の蓄電素子１のみに当接する第二当接部２０１Ａとを有する。これに伴い、内部スペーサ２Ａのベース２０Ａは、第一当接部２００Ａと第二当接部２０１Ａとに繋がる連設部２０２Ａを有する。
【００６８】
第一当接部２００Ａは、Ｙ軸方向に長手をなしている。第二当接部２０１Ａは、Ｙ軸方向に長手をなしている。
【００６９】
内部スペーサ２Ａのベース２０Ａは、複数の第一当接部２００Ａと、複数の第二当接部２０１Ａとを有する。そして、各第一当接部２００Ａと各第二当接部２０１Ａとは、内部スペーサ２Ａのベース２０Ａの第一端と第二端とが並ぶ方向で交互に配置される。
【００７０】
これにより、蓄電装置では、第一当接部２００Ａにおける蓄電素子１と当接する面とは反対側の面と、第一当接部２００Ａに繋がる一対の連設部２０２Ａとによって、通風路２３Ａが形成される。また、蓄電装置では、第二当接部２０１Ａにおける蓄電素子１と当接する面とは反対側の面と、第二当接部２０１Ａに繋がる一対の連設部２０２Ａとによって、通風路２３Ａが形成される。従って、蓄電装置では、内部スペーサ２Ａのベース２０Ａの第一面と蓄電素子１との間、及び内部スペーサ２Ａのベース２０Ａの第二面と蓄電素子１との間のそれぞれに通風路２３Ａが形成される。
【００７１】
従って、蓄電装置において、内部スペーサ２Ａのベース２０Ａは、Ｙ軸方向における両端を連通させる通風路２３Ａを形成する。そのため、蓄電装置は、周囲に送り込まれた冷却用の流体が通風路２３Ａ（内部スペーサ２Ａのベース２０Ａによって形成される通風路２３Ａ）を通ってＹ軸方向における一端から他端に流れる。
【００７２】
なお、本実施形態に係る蓄電装置は、図９に示すように、Ｙ軸方向における複数の蓄電素子１の一方側と、Ｙ軸方向における複数の蓄電素子１の他方側とのそれぞれに配置されるダクト５をさらに備える。
【００７３】
そのため、一方のダクト５は、複数の通風路２３ＡのそれぞれのＹ軸方向における一端と隣り合う位置に配置される。他方のダクト５は、複数の通風路２３ＡのそれぞれのＹ軸方向における他端と隣り合う位置に配置される。
【００７４】
さらに、一方のダクト５には、吸気ファン（図示しない）が連結されている。そのため、蓄電装置では、吸気ファンによって一方のダクト５内に吸い込まれた冷却用の流体がＹ軸方向における通風路２３Ａの一端から他端に流通し、他方のダクト５から排出されるようになっている。
【００７５】
上述のように、内部スペーサ２Ａは、隣り合う二つの蓄電素子１の間に配置される。そのため、規制部２１Ａは、図６に示すように、内部スペーサ２Ａに隣り合う二つの蓄電素子１の相対移動を規制すべく、内部スペーサ２Ａのベース２０Ａの第一面に隣り合う蓄電素子１と、内部スペーサ２Ａのベース２０Ａの第二面に隣り合う蓄電素子１とに向かって延びる。
【００７６】
より具体的に説明する。規制部２１Ａは、内部スペーサ２Ａのベース２０Ａの各角部に形成される。内部スペーサ２Ａは、規制部２１Ａとして、第一角部に形成される第一規制部２１０Ａと、第二角部に形成される第二規制部２１１Ａと、第三角部に形成される第三規制部２１２Ａ、第四角部に形成される第四規制部２１３Ａとを有する。
【００７７】
第一規制部２１０Ａ及び第二規制部２１１Ａは、内部スペーサ２Ａのベース２０Ａの第一面に隣り合う蓄電素子１と、内部スペーサ２Ａのベース２０Ａの第二面に隣り合う蓄電素子１とに向かって延びる。
【００７８】
第一規制部２１０Ａは、内部スペーサ２Ａのベース２０Ａの両側に配置される蓄電素子１のそれぞれの蓋板１０１と胴部１００ｂの一方の第二壁１００ｄとに当接する。そして、第二規制部２１１Ａは、内部スペーサ２Ａのベース２０Ａの両側に配置される蓄電素子１のそれぞれの蓋板１０１と胴部１００ｂの他方の第二壁１００ｄとに当接する。
【００７９】
第三規制部２１２Ａ及び第四規制部２１３Ａは、内部スペーサ２Ａのベース２０Ａの第一面に隣り合う蓄電素子１と内部スペーサ２Ａのベース２０Ａの第二面に隣り合う蓄電素子１とに向かって延びる。
【００８０】
第三規制部２１２Ａは、内部スペーサ２Ａのベース２０Ａの両側に配置される蓄電素子１のそれぞれの閉塞部１００ａと、胴部１００ｂの一方の第二壁１００ｄとに当接する。そして、他方の第四規制部２１３Ａは、内部スペーサ２Ａのベース２０Ａの両側に配置される蓄電素子１の閉塞部１００ａと、胴部１００ｂの他方の第二壁１００ｄとに当接する。
【００８１】
本実施形態に係る内部スペーサ２Ａにおいて、延出部２２Ａは、規制部２１Ａと一体的に形成される。すなわち、内部スペーサ２Ａは、規制部２１Ａとしての延出部２２Ａを備える（換言すると、本実施形態の内部スペーサ２Ａでは、規制部２１Ａと延出部２２Ａとは、共通の部位である）。
【００８２】
より具体的に説明する。図７、図８に示すように、延出部２２Ａは、屈曲している。延出部２２Ａの外角面には、インシュレータ４が当接している。
【００８３】
延出部２２Ａの外角面は、Ｘ軸方向とＺ軸方向とにおいて広がる基準面２２０Ａを含む。また、延出部２２Ａの外角面は、Ｚ軸方向における基準面２２０Ａの両端から延出する一対の被当接面２２１Ａ，２２２Ａを含む。なお、本実施形態に係る蓄電装置の説明において、一方の被当接面２２１Ａを第一の被当接面２２１Ａとし、他方の被当接面２２２Ａを第二の被当接面２２２Ａとして説明を行うことがある。
【００８４】
第一の被当接面２２１Ａと第二の被当接面２２２Ａとは、基準面２２０Ａから延出するにつれて、Ｙ軸方向における一方に向けて変位する。すなわち、第一の被当接面２２１Ａと第二の被当接面２２２Ａとは、Ｘ軸方向及びＺ軸方向に広がる平面に対して傾斜している。第一の被当接面２２１Ａは、第二の被当接面２２２Ａよりも通風路２３Ａに近い位置に配置される。
【００８５】
上述のように、規制部２１Ａは、内部スペーサ２Ａのベース２０Ａの各角部に形成される。すなわち、内部スペーサ２Ａのベース２０Ａは、各角部に形成される複数（４つ）の延出部２２Ａを有する。そして、複数の延出部２２Ａのうち、Ｚ軸方向で並ぶ一対の延出部２２Ａのそれぞれは、互いの第一の被当接面２２１ＡがＺ軸方向で隣り合うようにして配置される。
【００８６】
本実施形態に係る蓄電装置は、上述のように、複数の蓄電素子１を備えるため、内部スペーサ２Ａは、隣り合う蓄電素子１の間のそれぞれに配置されている。すなわち、蓄電装置は、複数の内部スペーサ２Ａを備える。
【００８７】
そして、複数の内部スペーサ２Ａのそれぞれの延出部２２Ａは、Ｘ軸方向で隣り合う内部スペーサ２Ａの延出部２２Ａと隣接する。そのため、Ｘ軸方向で隣り合う各延出部２２Ａの基準面２２０Ａのそれぞれは、同一面上又は略同一面上に位置する。また、Ｘ軸方向で隣り合う各延出部２２Ａの第一の被当接面２２１Ａのそれぞれは、同一面上又は略同一面上に位置する。さらに、Ｘ軸方向で隣り合う各延出部２２Ａの第二の被当接面２２２Ａのそれぞれは、同一面上又は略同一面上に位置する。
【００８８】
次に、外部スペーサ２Ｂについて説明する。外部スペーサ２Ｂは、複数のスペーサ２のうち、Ｘ軸方向における端部に配置されるスペーサ２（Ｘ軸方向における最も外側に配置されるスペーサ２）である。
【００８９】
外部スペーサ２Ｂは、図６に示すように、蓄電素子１（ケース本体１００の第一壁１００ｃ）に対向する第一面及び該第一面とは反対側の第二面を有するベース（以下、ベースという）２０Ｂと、該ベース２０Ｂに隣り合う蓄電素子１の位置を決定する規制部（以下、規制部という）２１Ｂとを有する。
【００９０】
また、本実施形態に係る外部スペーサ２Ｂのベース２０Ｂは、保持部材３の後述する終端部材３０と対向する。すなわち、外部スペーサ２Ｂは、蓄電素子１と終端部材３０との間に配置される。これに伴い、外部スペーサ２Ｂは、ベース２０Ｂの終端部材３０と対向する位置に、終端部材３０と嵌合する嵌合部２２Ｂを有する。すなわち、外部スペーサ２Ｂは、ベース２０Ｂに対する終端部材３０の位置を決定するための嵌合部２２Ｂであって、ベース２０Ｂの第二面に形成される嵌合部２２Ｂを有する。
【００９１】
さらに、外部スペーサ２Ｂは、ベース２０ＡからＸ軸方向に延出する延出部２３Ｂを有する。
【００９２】
本実施形態において、外部スペーサ２Ｂは、ベース２０Ｂの第一面から蓄電素子１に向けて突出する内部接触部２００Ｂであって、該蓄電素子１に当接する内部接触部２００Ｂを有する。
【００９３】
外部スペーサ２Ｂのベース２０Ｂは、Ｘ軸方向と直交するＹ軸方向及びＺ軸方向に広がっている。すなわち、ベース２０Ｂは、プレート状に形成される。外部スペーサ２Ｂのベース２０Ｂは、蓄電素子１の蓋板１０１に対応する位置に配置される第一端と、該第一端とは反対側の第二端であって、蓄電素子１の閉塞部１００ａに対応する位置に配置される第二端とを有する。また、外部スペーサ２Ｂのベース２０Ｂは、蓄電素子１の一方の第二壁１００ｄに対応する位置に配置される第三端と、該第三端とは反対側の第四端であって、蓄電素子１の他方の第二壁１００ｄに対応する位置に配置される第四端とを有する。
【００９４】
外部スペーサ２Ｂのベース２０Ｂは、第一端と第三端とが接続される部分である第一角部と、第一端と第四端とが接続される部分である第二角部とを有する。また、外部スペーサ２Ｂのベース２０Ｂは、第二端と第三端とが接続される部分である第三角部と、第二端と第四端とのそれぞれが接続される部分である第四角部とを有する。
【００９５】
なお、外部スペーサ２Ｂのベース２０Ｂの第一端及び第二端は、Ｙ軸方向に延びる。そして、外部スペーサ２Ｂのベース２０Ｂの第三端及び第四端は、前記Ｚ軸方向に方向に延びる。そのため、外部スペーサ２Ｂのベース２０Ｂは、略矩形状である。また、外部スペーサ２Ｂのベース２０Ｂは、蓄電素子１の第一壁１００ｃと略同等の大きさである。
【００９６】
外部スペーサ２Ｂのベース２０Ｂの第一面には、該ベース２０Ｂの第一面と蓄電素子１との間に流体を通過させるための通風路２４Ｂが形成される。すなわち、外部スペーサ２Ｂのベース２０Ｂは、Ｘ軸方向で隣り合う蓄電素子１との間に通風路２４Ｂを形成する（図１参照）。
【００９７】
より具体的に説明する。外部スペーサ２Ｂのベース２０Ｂは、当該ベース２０Ｂの第一面から蓄電素子１のケース１０（ケース本体１００の第一壁１００ｃ）に向かって延びる内部接触部２００Ｂを有する。
【００９８】
内部接触部２００Ｂは、Ｙ軸方向に長手をなしている。本実施形態に係る外部スペーサ２Ｂのベース２０Ｂは、複数の内部接触部２００Ｂを有する。そして、複数の内部接触部２００Ｂのそれぞれは、長手方向と直交する方向で互いに間隔をあけて配置される。これにより、外部スペーサ２Ｂのベース２０Ｂと蓄電素子１との間には、複数の通風路２４Ｂが形成される。
【００９９】
従って、蓄電装置において、外部スペーサ２Ｂのベース２０Ｂは、Ｙ軸方向における両端を連通させる通風路２４Ｂを形成する。そのため、蓄電装置は、周囲に送り込まれた冷却用の流体が通風路２４Ｂを通ってＹ軸方向における一端から他端に流れる。
【０１００】
なお、上述のように、本実施形態に係る蓄電装置は、Ｙ軸方向における複数の蓄電素子１の一方側と、Ｙ軸方向における複数の蓄電素子１の他方側とのそれぞれに配置されるダクト５をさらに備える（図９参照）。
【０１０１】
そのため、一方のダクト５は、複数の通風路２４ＢのそれぞれのＹ軸方向における一端に隣り合う位置に配置される。他方のダクト５は、複数の通風路２４ＢのそれぞれのＹ軸方向における他端に隣り合う位置に配置される。
【０１０２】
そのため、蓄電装置では、吸気ファンによって一方のダクト５内に吸い込まれた冷却用の流体がＹ軸方向における通風路２４Ｂの一端から他端に流通し、他方のダクト５から排出されるようになっている。
【０１０３】
上述のように、外部スペーサ２Ｂの第一面は、蓄電素子１と隣り合う。規制部２１Ｂは、外部スペーサ２Ｂの第一面に隣り合う蓄電素子１の相対移動を規制すべく、外部スペーサ２Ｂのベース２０Ｂの第一面と隣り合う蓄電素子１に向かって延びる。
【０１０４】
より具体的に説明する。外部スペーサ２Ｂは、規制部２１Ｂとして、ベース２０Ｂの第一端に形成される規制部２１Ｂと、ベース２０Ｂの第二端に形成される規制部２１Ｂとを有する。
【０１０５】
外部スペーサ２Ｂは、規制部２１Ｂとして、第一角部に形成される第一規制部２１０Ｂと、第二角部に形成される第二規制部２１１Ｂと、第三角部に形成される第三規制部２１２Ｂ、第四角部に形成される第四規制部２１３Ｂとを有する。
【０１０６】
上述のように、外部スペーサ２Ｂのベース２０Ｂの第一面は、蓄電素子１と対向する。そのため、第一規制部２１０Ｂ及び第二規制部２１１Ｂは、外部スペーサ２Ｂのベース２０Ｂの第一面と隣り合う蓄電素子１に向かって延びる。
【０１０７】
第一規制部２１０Ｂは、外部スペーサ２Ｂのベース２０Ｂの第一面と隣り合う蓄電素子１の蓋板１０１の第一端と胴部１００ｂの第二壁１００ｄとに当接する。そして、第二規制部２１１Ｂは、外部スペーサ２Ｂのベース２０Ｂの第一面と隣り合う蓄電素子１の蓋板１０１の第二端と胴部１００ｂの第二壁１００ｄとに当接する。
【０１０８】
上述のように、外部スペーサ２Ｂのベース２０Ｂの第一面は、蓄電素子１と対向する。そのため、第三規制部２１２Ｂ及び第四規制部２１３Ｂは、外部スペーサ２Ｂのベース２０Ｂの第一面と隣り合う蓄電素子１に向かって延びる。
【０１０９】
第三規制部２１２Ｂは、外部スペーサ２Ｂのベース２０Ｂの第一面と隣り合う蓄電素子１の閉塞部１００ａの第一端と胴部１００ｂの第二壁１００ｄとに当接する。そして、第四規制部２１３Ｂは、外部スペーサ２Ｂのベース２０Ｂの第一面と隣り合う蓄電素子１の閉塞部１００ａの第二端と胴部１００ｂの第二壁１００ｄとに当接する。
【０１１０】
規制部２１Ｂは、外部スペーサ２Ｂのベース２０Ｂの第二面から保持部材３（後述する終端部材３０）に向かって延びる延出部２３Ｂを有する。
【０１１１】
本実施形態に係る外部スペーサ２Ｂにおいて、延出部２３Ｂは、規制部２１Ｂと一体的に形成される。すなわち、外部スペーサ２Ｂは、規制部２１Ｂとしての延出部２３Ｂを備える（換言すると、本実施形態の外部スペーサ２Ｂでは、規制部２１Ｂと延出部２３Ｂとは、共通の部位である）。
【０１１２】
より具体的に説明する。延出部２３Ｂは、屈曲している。延出部２３Ｂの外角面には、インシュレータ４が当接する。
【０１１３】
図７、図８に示すように、延出部２３Ｂの外角面は、Ｘ軸方向とＺ軸方向とにおいて広がる基準面２３０Ｂを含む。また、延出部２３Ｂの外角面は、Ｚ軸方向における基準面２３０Ｂの両端から延出する一対の被当接面２３１Ｂ，２３２Ｂを含む。なお、本実施形態に係る蓄電装置の説明において、一方の被当接面２３１Ｂを第一の被当接面２３１Ｂとし、他方の被当接面２３２Ｂを第二の被当接面２３２Ｂとして説明を行うことがある。
【０１１４】
第一の被当接面２３１Ｂと第二の被当接面２３２Ｂとは、基準面２３０Ｂから延出するにつれて、Ｙ軸方向における一方側に変位する。すなわち、第一の被当接面２３１Ｂと第二の被当接面２３２Ｂとは、Ｘ軸方向及びＺ軸方向に広がる平面に対して傾斜している。第一の被当接面２３１Ｂは、第二の被当接面２３２Ｂよりも通風路２３Ａに近い位置に配置される。
【０１１５】
上述のように、規制部２１Ａは、外部スペーサ２Ｂのベース２０Ｂの各角部に形成される。すなわち、外部スペーサ２Ｂのベース２０Ｂは、各角部に形成される複数（４つ）の延出部２３Ｂを有する。そして、複数の延出部２３Ｂのうち、Ｚ軸方向で並ぶ一対の延出部２３Ｂのそれぞれは、互いの第一の被当接面２３１ＢがＺ軸方向で隣り合うようにして配置される。これに伴い、外部スペーサ２Ｂは、Ｚ軸方向におけるベース２０Ｂの一端に形成される延出部２３Ｂと、Ｚ軸方向におけるベース２０Ｂの他端に形成される延出部２３Ｂとに亘って連続する接続辺２５Ｂを有する。
【０１１６】
接続辺２５Ｂは、Ｘ軸方向及びＺ軸方向に広がる基準面２５０Ｂと、Ｘ軸方向における基準面２５０Ｂの両端に形成される一対の被押圧面２５１Ｂ，２５２Ｂとを有する。なお、本実施形態に係る蓄電装置の説明において、一方の被押圧面２５１Ｂを第一の被押圧面２５１Ｂとし、他方の被押圧面２５２Ｂを第二の被押圧面２５２Ｂとして説明を行うことがある。
【０１１７】
接続辺２５Ｂの基準面２５０Ｂは、一方の延出部２３Ｂの基準面２３０Ｂと、他方の延出部２３Ｂの基準面２３０Ｂとに連続する。
【０１１８】
接続辺２５Ｂの第一の被押圧面２５１Ｂと第二の被押圧面２５２Ｂとは、基準面２５０Ｂから延出するにつれて、Ｙ軸方向における一方に向けて変位する。すなわち、第一の被押圧面２５１Ｂと第二の被押圧面２５２Ｂとは、Ｘ軸方向及びＺ軸方向に広がる平面に対して傾斜している。
【０１１９】
第一の被押圧面２５１Ｂは、第二の被押圧面２５２Ｂよりも通風路２４Ｂに近い位置に配置される。
【０１２０】
外部スペーサ２Ｂにおいて、接続辺２５Ｂの第一の被押圧面２５１Ｂは、一方の延出部２３Ｂの第一の被当接面２３１Ｂと、他方の延出部２３Ｂの被当接面２３１Ｂとに連続する。外部スペーサ２Ｂにおいて、接続辺２５Ｂの第二の被押圧面２５２Ｂは、一方の延出部２３Ｂの第二の被当接面２３２Ｂと、他方の延出部２３Ｂの第二の被当接面２３２Ｂとに連続する。
【０１２１】
本実施形態に係る外部スペーサ２Ｂは、上述のように、蓄電素子１を介して該内部スペーサ２Ａと隣り合うように配置される。すなわち、蓄電装置は、一対の外部スペーサ２Ｂを備える。外部スペーサ２Ｂは、複数の蓄電素子１のうちの最も端にある蓄電素子１に隣り合う。すなわち、外部スペーサ２Ｂは、整列する複数の蓄電素子１を挟み込むように一対設けられる。
【０１２２】
また、一対の外部スペーサ２Ｂのそれぞれは、上述のように、第一面が蓄電素子１のケース本体１００と対向する。そのため、一対の外部スペーサ２Ｂのそれぞれは、互いの外部スペーサ２Ｂのベース２０Ｂの第一面同士が向かい合うようにして配置されている。従って、蓄電装置において、一対の外部スペーサ２Ｂのそれぞれは、複数の蓄電素子１が整列する方向（以下、Ｘ軸方向とする）において互いに対称となるように配置されている。
【０１２３】
そして、複数の外部スペーサ２Ｂのそれぞれの延出部２３Ｂは、Ｘ軸方向で隣り合う内部スペーサ２Ａの延出部２２Ａと隣接する。そのため、Ｘ軸方向で隣り合う外部スペーサ２Ｂの各延出部２３Ｂの基準面２３０Ｂのそれぞれと、内部スペーサ２Ａの各延出部２２Ａの基準面２２０Ａのそれぞれとは、同一面上又は略同一面上に位置する。また、Ｘ軸方向で隣り合う外部スペーサ２Ｂの各延出部２３Ｂの第一の被当接面２３１Ｂのそれぞれと、内部スペーサ２Ａの各延出部２２Ａの第一の被当接面２２１Ａのそれぞれとは、同一面上又は略同一面上に位置する。さらに、Ｘ軸方向で隣り合う外部スペーサ２Ｂの各延出部２３Ｂの第二の被当接面２３２Ｂのそれぞれと、内部スペーサ２Ａの各延出部２２Ａの第二の被当接面２２２Ａのそれぞれとは、同一面上又は略同一面上に位置する。
【０１２４】
従って、図２に示すように、Ｙ軸方向における蓄電装置の両端において、各内部スペーサ２Ａの延出部２２Ａの第一の被当接面２２１Ａ、各外部スペーサ２Ｂの延出部２３Ｂの第一の被当接面２３１Ｂ、及び各外部スペーサ２Ｂの接続辺２５Ｂの第一の被押圧面２５１Ｂのそれぞれは、各内部スペーサ２Ａのベース２０Ａによって形成される通風路２３Ａと、各外部スペーサ２Ｂのベース２０Ｂによって形成される通風路２４Ｂとを包囲するようにして並べて配置されている。
【０１２５】
そのため、Ｙ軸方向における蓄電装置の両端において、各内部スペーサ２Ａの延出部２２Ａの第二の被当接面２２２Ａ、各外部スペーサ２Ｂの延出部２３Ｂの第二の被当接面２３２Ｂ、及び各外部スペーサ２Ｂの接続辺２５Ｂの第二の被押圧面２５２Ｂのそれぞれは、各内部スペーサ２Ａの延出部２２Ａの第一の被当接面２２１Ａ、各外部スペーサ２Ｂの延出部２３Ｂの第一の被当接面２３１Ｂ、及び各外部スペーサ２Ｂの接続辺２５Ｂの第一の被押圧面２５１Ｂのそれぞれを包囲するようにして並べて配置されている。
【０１２６】
本実施形態において、保持部材３は、金属製である。また、保持部材３は、複数の蓄電素子１及び複数のスペーサ２（内部スペーサ２Ａ及び外部スペーサ２Ｂ）を保持する。より具体的に説明する。保持部材３は、図５に示すように、各外部スペーサ２Ｂと隣り合う位置のそれぞれに配置される一対の終端部材３０と、該一対の終端部材３０のそれぞれを接続するフレーム３１とを備える。
【０１２７】
一対の終端部材３０のそれぞれは、外部スペーサ２Ｂと対向する第一面と、該第一面とは反対側の第二面とを有する。
【０１２８】
終端部材３０は、蓄電素子１の蓋板１０１と対応する位置に配置される第一端と、該第一端とは反対側の第二端（蓄電素子１の閉塞部１００ａと対応する位置に配置される第二端）とを有する。また、終端部材３０は、蓄電素子１の一方の第二壁１００ｄと対応する位置に配置される第三端と、該第三端とは反対側の第四端（蓄電素子１の他方の第二壁１００ｄと対応する位置に配置される第四端）とを有する。
【０１２９】
これに伴い、終端部材３０は、第一端と第三端とが接続される部分である第一角部と、第一端と第四端とが接続される部分である第二角部とを有する。また、終端部材３０は、第二端と第三端とが接続される部分である第三角部と、第二端と第四端とのそれぞれが接続される部分である第四角部とを有する。
【０１３０】
フレーム３１は、一対の終端部材３０に亘って延びる接続部を有する。本実施形態では、蓄電素子１の蓋板１０１と対応する位置に配置される第一接続部３１０と、蓄電素子１の閉塞部１００ａと対応する位置に配置される第二接続部３１１とを有する。すなわち、フレーム３１は、Ｚ軸方向で間隔を空けて並ぶ一対の接続部３１０，３１１を有する。
【０１３１】
本実施形態に係るフレーム３１は、第一接続部３１０と第二接続部３１１とに支持部３１２が繋がることによって枠体状に形成される。これに伴い、本実施形態における蓄電装置では、Ｘ軸方向と直交する方向（以下、Ｙ軸方向とする）における蓄電素子１の一方に配置される第一接続部３１０、第二接続部３１１、支持部３１２を有する部材を第一連結部材３１Ａとし、Ｙ軸方向における蓄電素子の他方側に配置される第一接続部３１０、第二接続部３１１、支持部３１２を有する部材を第二連結部材３１Ｂとして以下の説明を行う場合がある。
【０１３２】
そして、フレーム３１は、終端部材３０と連結される固定部３１３を有する。
【０１３３】
第一接続部３１０は、長手をなす方向に第一端と該第一端とは反対側の第二端とを有する。
【０１３４】
また、第一接続部３１０は、長手をなす方向と直交する方向に屈曲している。第一接続部３１０において、屈曲する部分を境とする一方の部分は、蓄電素子１の蓋板１０１と対応する位置に配置される。第一接続部３１０において、屈曲する部分を境とする他方は、蓄電素子１の第二壁１００ｄと対応する位置に配置される。
【０１３５】
第二接続部３１１は、長手をなす方向に第一端と該第一端とは反対側の第二端とを有する。
【０１３６】
第二接続部３１１は、長手と直交する方向に屈曲している。そして、第二接続部３１１は、屈曲する部分を境とする一方の部分が蓄電素子１の閉塞部１００ａと対応する位置に配置され、屈曲する部分を境とする他方の部分が蓄電素子１の第二壁１００ｄと対応する位置に配置される。
【０１３７】
なお、接続部（第一接続部３１０、及び第二接続部３１１）は、Ｘ軸方向における中央部がインシュレータ４に向けて凸となるように湾曲していることが好ましい。このようにすれば、インシュレータ４（第一の絶縁部４０、及び第一のシール部４１）は、Ｘ軸方向における接続部の中央部とスペーサ２（スペーサ２Ａ）の延出部２２Ａとにより強固に挟み込まれる。
【０１３８】
支持部３１２は、第一接続部３１０の第一端と第二接続部３１１の第一端とに繋がる第一支持部３１２ａと、第一接続部３１０の第二端と第二接続部３１１の第二端とに繋がる第二支持部３１２ｂとを有する。
【０１３９】
固定部３１３は、第一接続部３１０の第一端と第二端とに形成される一対の第一固定部３１３ａと、第二接続部３１１の第一端と第二端とに形成される一対の第二固定部３１３ｂとを有する。
【０１４０】
一方の第一固定部３１３ａは、一方の終端部材３０の貫通穴３００ｂ周りの部分と対向する。他方の第一固定部３１３ａは、他方の終端部材３０の貫通穴３００ｂ周りの部分と対向する。そして、一対の第一固定部３１３ａのそれぞれは、貫通穴３００ｂと対応する位置に第一穴部３１３ｃが形成されている。
【０１４１】
そのため、第一接続部３１０は、終端部材３０の貫通穴３００ｂと、第一固定部３１３ａの第一穴部３１３ｃとに挿通したボルトにナットを螺合させることによって該終端部材３０に連結される。
【０１４２】
一方の第二固定部３１３ｂは、一方の終端部材３０の貫通穴３００ｂ周りの部分と対向する。他方の第二固定部３１３ｂは、他方の終端部材３０の貫通穴３００ｂ周りの部分と対向する。そして、一対の第二固定部３１３ｂのそれぞれは、貫通穴３００ｂと対応する位置に第二穴部３１３ｄが形成されている。
【０１４３】
そのため、第二接続部３１１は、終端部材３０の貫通穴３００ｂと、第二固定部３１３ｂの第二穴部３１３ｄとに挿通したボルトにナットを螺合させることによって該終端部材３０に連結される。
【０１４４】
インシュレータ４は、絶縁性を有する材料で構成されている。インシュレータ４は、ポリプロピレン、ポリエチレン、又はポリスチレン等の材料で構成することができる。これらの材料は、ガラス繊維又はアラミド繊維等の繊維を含有していないことが好ましい。本実施形態に係るインシュレータ４は、ポリプロピレンで構成される。また、インシュレータ４は、複数のスペーサ２（内部スペーサ２Ａ及び外部スペーサ２Ｂ）のそれぞれと保持部材３との間に配置される。
【０１４５】
そのため、インシュレータ４は、複数のスペーサ２の延出部のそれぞれと保持部材３との間に配置される第一の絶縁部４０であって、前記保持部材３に当接する第一の絶縁部４０と、該第一の絶縁部４０と連続する第一のシール部４１であって、前記複数のスペーサ２の延出部のそれぞれに当接する第一のシール部４１と（図２参照）、を有する。
【０１４６】
また、インシュレータ４は、外部スペーサ２Ｂ（Ｘ軸方向における両端に配置されるスペーサ２）の接続辺２５Ｂと保持部材３との間に配置される第二の絶縁部４２と、該第二の絶縁部４２と連続する第二のシール部４３であって、外部スペーサ２Ｂの接続辺２５Ｂに当接する第二のシール部４３と（図２参照）、を有する。
【０１４７】
第一の絶縁部４０は、第一接続部３１０とスペーサ２（内部スペーサ２Ａ及び外部スペーサ２Ｂ）との間、第二接続部３１１とスペーサ２（内部スペーサ２Ａ及び外部スペーサ２Ｂ）との間のそれぞれに配置される。すなわち、インシュレータ４は、一対の第一の絶縁部４０を有する。
【０１４８】
各第一の絶縁部４０は、Ｘ軸方向に長手をなす。また、一方の第一の絶縁部４０は、第一接続部３１０とスペーサ２とに挟まれている。そのため、一方の第一の絶縁部４０は、第一接続部３１０と当接する。他方の第一の絶縁部４０は、第二接続部３１１とスペーサ２とに挟まれている。そのため、他方の第一の絶縁部４０は、第二接続部３１１に当接する。
【０１４９】
第一のシール部４１は、弾性を有する。上述のように、スペーサ２は、ガラス繊維を含有するポリプロピレンで構成され、インシュレータ４は、ポリプロピレンで構成されている。そのため、第一のシール部４１は、内部スペーサ２Ａの被当接面２２１Ａ，２２２Ａ、及び外部スペーサ２Ｂの被当接面２３１Ｂ，２３２Ｂよりも剛性が低い。
【０１５０】
図１０及び図１１に示すように、第一のシール部４１は、内部スペーサ２Ａの延出部２２Ａの第一の被当接面２２１Ａと、外部スペーサ２Ｂの延出部２３Ｂの第一の被当接面２３１Ｂとに当接するシール部４１０と、内部スペーサ２Ａの延出部２２Ａの第二の被当接面２２２Ａと、外部スペーサ２Ｂの延出部２３Ｂの第二の被当接面２３２Ｂとに当接するシール部４１１とを有する。
【０１５１】
なお、図１０は、図９における領域Ｒ１に対応する位置の断面図であり、図１１は、図９における領域Ｒ２に対応する位置の断面図である。
【０１５２】
一方のシール部４１０は、突条に形成される（本実施形態では、Ｘ軸方向に長手をなす突条に形成される）。一方のシール部４１０は、各内部スペーサ２Ａの第一の被当接面２２１Ａと、各外部スペーサ２Ｂの第一の被当接面２３１Ｂとに対して傾斜する方向に延出する。
【０１５３】
上述のように、各内部スペーサ２Ａの第一の被当接面２２１Ａと、各外部スペーサ２Ｂの第一の被当接面２３１Ｂとは、Ｘ軸方向及びＺ軸方向に広がる平面に対して傾斜している。これに伴い、一方のシール部４１０は、Ｙ軸方向に真直ぐに延出する。
【０１５４】
他方のシール部４１１は、突条に形成される（本実施形態では、Ｘ軸方向に長手をなす突条に形成される）。他方のシール部４１１は、各内部スペーサ２Ａの第二の被当接面２２２Ａと、各外部スペーサ２Ｂの第二の被当接面２３２Ｂとに対して傾斜する方向に延出する。
【０１５５】
上述のように、各内部スペーサ２Ａの第二の被当接面２２２Ａと、各外部スペーサ２Ｂの第二の被当接面２３２Ｂとは、Ｘ軸方向及びＺ軸方向に広がる平面に対して傾斜している。これに伴い、本実施形態に係る他方のシール部４１１は、Ｙ軸方向に真直ぐに延出する。
【０１５６】
このように、第一のシール部４１では、一方のシール部４１０が内部スペーサ２Ａの延出部２２Ａの第一の被当接面２２１Ａと、外部スペーサ２Ｂの延出部２３Ｂの第一の被当接面２３１Ｂとに当接し、他方のシール部４１１が内部スペーサ２Ａの延出部２２Ａの第二の被当接面２２２Ａと、外部スペーサ２Ｂの延出部２３Ｂの第二の被当接面２３２Ｂとに当接する。そのため、一方のシール部４１０は、他方のシール部４１１よりも通風路２３Ａ，２４Ｂに近い位置に配置されている。
【０１５７】
なお、本実施形態に係る第一のシール部４１において、一方のシール部４１０の突出長（第一の絶縁部４０からの延出量）は、他方のシール部４１１の突出長と同一又は略同一にしたり、他方のシール部４１１の突出長よりも大きくしたり、他方のシール部４１１の突出長よりも小さくしたりしてもよいが、他方のシール部４１１の突出長よりも大きくなっていることが好ましい。
【０１５８】
第二の絶縁部４２は、図５に示すように、第一支持部３１２ａと一対の外部スペーサ２Ｂとの間、第二支持部３１２ｂと一対の外部スペーサ２Ｂとの間のそれぞれに配置される。すなわち、インシュレータ４は、一対の第二の絶縁部４２を有する。
【０１５９】
各第二の絶縁部４２は、Ｚ軸方向に長手をなす。一方の第二の絶縁部４２は、第一支持部３１２ａと当接する。他方の第二の絶縁部４２は、第二支持部３１２ｂと当接する。
【０１６０】
第二のシール部４３は、弾性を有する。上述のように、スペーサ２は、ガラス繊維を含有するポリプロピレンで構成され、インシュレータ４は、ポリプロピレンで構成されている。そのため、第二のシール部４３は、外部スペーサ２Ｂの被押圧面２５１Ｂ，２５２Ｂよりも剛性が低い。
【０１６１】
図１２に示すように、第二のシール部４３は、外部スペーサ２Ｂの接続辺２５Ｂの第一の被押圧面２５１Ｂに当接するシール部４３０と、外部スペーサ２Ｂの接続辺２５Ｂの第二の被押圧面２５２Ｂに当接するシール部４３１とを有する。
【０１６２】
一方のシール部４３０は、突条に形成される（本実施形態では、Ｚ軸方向に長手をなす突条に形成される）。一方のシール部４３０は、第一の被押圧面２５１Ｂに対して傾斜する方向に延出する。
【０１６３】
上述のように、第一の被押圧面２５１Ｂは、Ｘ軸方向及びＺ軸方向に広がる平面に対して傾斜している。これに伴い、一方のシール部４３０は、Ｙ軸方向に真直ぐに延出する。
【０１６４】
他方のシール部４３１は、突条に形成される（本実施形態では、Ｚ軸方向に長手をなす突条に形成される）。他方のシール部４３１は、第二の被押圧面２５２Ｂに対して傾斜する方向に延出する。
【０１６５】
上述のように、各外部スペーサ２Ｂの第二の被押圧面２５２Ｂは、Ｘ軸方向及びＺ軸方向に広がる平面に対して傾斜している。これに伴い、他方のシール部４３１は、Ｙ軸方向に真直ぐに延出する。
【０１６６】
上述のように、外部スペーサ２Ｂにおいて、第一の被押圧面２５１Ｂは、第二の被押圧面２５２Ｂよりも通風路２４Ｂに近い位置に配置される。そのため、一方のシール部４３０は、他方のシール部４３１よりも通風路２４Ｂに近い位置に配置されている。
【０１６７】
なお、本実施形態に係る第二のシール部４３において、一方のシール部４３１の突出長（第二の絶縁部４２からの延出量）は、他方のシール部４３１の突出長と同一又は略同一にしたり、他方のシール部４３１の突出長よりも大きくしたり、他方のシール部４３１の突出長よりも小さくしたりしてもよいが、他方のシール部４３１の突出長よりも大きくなっていることが好ましい。
【０１６８】
なお、インシュレータ４では、第一のシール部４１の各シール部４１０と、第二のシール部４３の各シール部４３０とのそれぞれがひとつながりに形成されている。また、インシュレータ４では、第一のシール部４１の各シール部４１１と、第二のシール部４３の各シール部４３１とのそれぞれがひとつながりに形成されている。
【０１６９】
そのため、インシュレータ４では、第一のシール部４１の各シール部４１０と、第二のシール部４３の各シール部４３０とが第一のシール部４１の各シール部４１１と、第二のシール部４３の各シール部４３１とによって包囲されている。
【０１７０】
以上のように、本実施形態に係る蓄電装置は、インシュレータ４の第一の絶縁部４０が保持部材３に当接し、第一の絶縁部４０と連続する第一のシール部４１がスペーサ２の延出部（本実施形態では、内部スペーサ２Ａの延出部２２Ａ、外部スペーサ２Ｂの延出部２３Ｂ）に当接する。
【０１７１】
そのため、蓄電装置では、保持部材３とスペーサ２の延出部との間に流れ込もうとする冷却用の流体をインシュレータ４の第一の絶縁部４０とインシュレータ４の第一のシール部４１とによって遮ることができる。
【０１７２】
より具体的に説明する。上述のように、蓄電装置では、通風路２３Ａ，２４Ｂの一端に隣り合う位置と、通風路２３Ａ，２４Ｂの他端に隣り合う位置とのそれぞれにダクト５が配置されている。
【０１７３】
そのため、蓄電装置では、インシュレータ４とスペーサ２との間（本実施形態では、内部スペーサ２Ａの延出部２２Ａの外角面とインシュレータ４の第一の絶縁部４０との間、及び外部スペーサ２Ｂの延出部２３Ｂの外角面とインシュレータ４の第一の絶縁部４０との間）に冷却用の流体が流れ込もうとする。
【０１７４】
しかしながら、本実施形態に係る蓄電装置では、第一の絶縁部４０と連続する第一のシール部４１が内部スペーサ２Ａの延出部２２Ａ、外部スペーサ２Ｂの延出部２３Ｂに当接するため、内部スペーサ２Ａの延出部２２Ａの外角面とインシュレータ４の第一の絶縁部４０との間、及び外部スペーサ２Ｂの延出部２３Ｂの外角面とインシュレータ４の第一の絶縁部４０との間に流れ込もうとする冷却用の流体の流れを遮ることができる。
【０１７５】
従って、蓄電装置では、保持部材３とスペーサ２の延出部との間に流れ込もうとする流体を各通風路２３Ａ，２４Ｂに流通させることができる。このようにして、蓄電装置では、通風路２３Ａ，２４Ｂを流れる冷却用の流体の減少が抑えられる。
【０１７６】
また、第一のシール部４１は、弾性を有するとともに、内部スペーサ２Ａの第一の被当接面２２１Ａ、及び外部スペーサ２Ｂの第一の被当接面２３１Ｂのそれぞれよりも剛性が低くなっている。
【０１７７】
そのため、第一のシール部４１は、内部スペーサ２Ａの第一の被当接面２２１Ａ、及び外部スペーサ２Ｂの第一の被当接面２３１Ｂに当接するに伴って弾性変形する。これにより、第一のシール部４１には、弾性力が作用する。
【０１７８】
なお、本実施形態において、蓄電装置における第一のシール部４１は、内部スペーサ２Ａの第一の被当接面２２１Ａ、及び外部スペーサ２Ｂの第一の被当接面２３１Ｂに対して傾斜する方向に延出している。
【０１７９】
そのため、蓄電装置では、第一のシール部４１を内部スペーサ２Ａの第一の被当接面２２１Ａ、及び外部スペーサ２Ｂの第一の被当接面２３１Ｂに当接させることによって、該第一のシール部４１を弾性変形させている。
【０１８０】
これにより、第一のシール部４１が内部スペーサ２Ａの第一の被当接面２２１Ａ、及び外部スペーサ２Ｂの第一の被当接面２３１Ｂから離れ難くなる。従って、蓄電装置では、保持部材３とスペーサ２の延出部との間に流れ込もうとする流体がより確実に遮られる。
【０１８１】
また、蓄電装置において、第一のシール部４１は、内部スペーサ２ＡのＺ軸方向で並ぶ延出部２２Ａのそれぞれと、外部スペーサ２ＢのＺ軸方向で並ぶ延出部２３Ｂのそれぞれとに当接する。そのため、蓄電装置では、内部スペーサ２ＡのＺ軸方向で並ぶ延出部２２Ａのそれぞれと保持部材３との間、外部スペーサ２ＢのＺ軸方向で並ぶ延出部２３Ｂのそれぞれと保持部材３との間のそれぞれに流れ込もうとする流体が第一のシール部４１によって遮られる。すなわち、蓄電装置では、Ｚ軸方向の両端において、保持部材３とスペーサ２の延出部との間に流れ込もうとする流体が第一のシール部４１によって遮られる。
【０１８２】
そして、蓄電装置において、第一のシール部４１は、内部スペーサ２Ａの延出部２２Ａ、及び外部スペーサ２Ｂの延出部２３Ｂのそれぞれと接触する突条に形成されている。そのため、蓄電装置では、保持部材３と複数のスペーサ２のそれぞれの延出部との間に流れ込もうとする冷却用の流体の流れが第一のシール部４１によって遮られる。
【０１８３】
そのため、蓄電装置では、保持部材３と複数のスペーサ２のそれぞれの延出部との間に流れ込もうとする流体を各通風路２３Ａ，２４Ｂに流通させることができる。
【０１８４】
さらに、蓄電装置は、一対の第二のシール部４３のそれぞれの一方のシール部４３０が外部スペーサ２Ｂの接続辺２５Ｂに当接している。そのため、蓄電装置では、外部スペーサ２Ｂの接続辺２５Ｂと保持部材３との間に流れ込もうとする流体が第二のシール部４３によって遮られる。
【０１８５】
このように、蓄電装置では、内部スペーサ２Ａの延出部２２Ａのそれぞれと保持部材３との間に流れ込もうとする流体に加えて、外部スペーサ２Ｂの接続辺２５Ｂと保持部材３との間に流れ込もうとする流体も、各通風路２３Ａ，２４Ｂに流通させることができる。
【０１８６】
また、第一のシール部４１は、内部スペーサ２Ａの第一の被当接面２２１Ａ及び外部スペーサ２Ｂの第一の被当接面２３１Ｂのそれぞれに当接するシール部４１０と、内部スペーサ２Ａの第二の被当接面２２２Ａ及び外部スペーサ２Ｂの第二の被当接面２３２Ｂのそれぞれに当接するシール部４１１とを有する。
【０１８７】
そのため、保持部材３とスペーサ２の延出部との間に流れ込もうとする冷却用の流体を第一のシール部４１の一対のシール部４１０，４１１によって遮ることができる。そのため、蓄電装置では、保持部材３とスペーサ２の延出部との間に流れ込もうとする流体がより確実に遮られる。
【０１８８】
なお、本発明に係る蓄電装置は、上記一実施形態に限定されるものではなく、本発明の要旨を逸脱しない範囲において種々変更を行うことは勿論である。
【０１８９】
上記実施形態において、内部スペーサ２Ａのベース２０Ａは、略矩形状であり、また、蓄電素子１の第一壁１００ｃと略同等の大きさになっている。しかしながら、内部スペーサ２Ａのベース２０Ａは、隣り合う二つの蓄電素子１のそれぞれの姿勢を対応させることができれば、略矩形状であるものに限定されず、また、蓄電素子１の第一壁１００ｃと略同等の大きさであるものにも限定されない。
【０１９０】
上記実施形態において、外部スペーサ２Ｂのベース２０Ｂは、略矩形状であり、且つ蓄電素子１の第一壁１００ｃと略同等の大きさである。しかしながら、ベース２０Ｂは、隣り合う蓄電素子１の姿勢と終端部材３０の姿勢とを対応させることができれば、ベース２０Ｂは、略矩形状に形成されているものに限定されず、また、蓄電素子１の第一壁１００ｃと略同等の大きさで形成されているものにも限定されない。
【０１９１】
上記実施形態において、外部スペーサ２Ｂは、ベース２０Ｂの角部のそれぞれに規制部２１Ｂが形成されている。しかしながら、規制部２１Ｂは、ベース２０Ｂに対して蓄電素子１を配置する位置を決定することができれば、ベース２０Ｂに形成される位置が限定されるものではない。
【０１９２】
上記実施形態において、インシュレータ４の第一のシール部４１は、Ｙ軸方向で真直ぐに延出し、前記複数の延出部２２Ａのそれぞれにおける、延出部２２Ａの被当接面２２１Ａ，２２２Ａは、前記インシュレータ４の第一のシール部４１が延びる方向に対して傾斜する方向に広がるように形成されていたが、これに限定されるものではなく、例えば、前記インシュレータ４の第一のシール部４１は、前記第一方向（Ｘ軸方向）と直交する第二方向（Ｙ軸方向）に対して傾斜する方向に延出し、前記複数のスペーサ２のそれぞれにおける、延出部２２Ａの被当接面２２１Ａ，２２２Ａは、Ｘ軸方向及びＺ軸方向に広がるように形成されていてもよい。
【０１９３】
上記実施形態において、インシュレータ４は、第一のシール部４１と第二のシール部４３とを備えていたが、これに限定されるものではなく、例えば、インシュレータ４は、第一のシール部４１のみを備えるようにしたり、第二のシール部４３のみを備えるようにしたりしてもよい。
【０１９４】
上記実施形態において、インシュレータ４は、一対の第一のシール部４１のそれぞれの一方のシール部４１０と一対の第二のシール部４３のそれぞれの一方のシール部４３０とが、一対の第一のシール部４１のそれぞれの他方のシール部４１１と一対の第二のシール部４３のそれぞれの他方のシール部４３１とによって包囲されていたが、これに限定されるものではなく、例えば、インシュレータ４は、一対の第一のシール部４１のそれぞれが一方のシール部４１０のみを備え、一対の第二のシール部４３のそれぞれが一方のシール部４３０のみを備えるようにしたり、一対の第一のシール部４１のそれぞれが他方のシール部４１１のみを備え、一対の第二のシール部４３のそれぞれが他方のシール部４３１のみを備えるようにしたりしてもよい。
【０１９５】
上記実施形態において、一対の外部スペーサ２Ｂのそれぞれは、接続辺２５Ｂを有するようになっていたが、これに限定されるものではない。例えば、一対の外部スペーサ２Ｂのうちの一方の外部スペーサ２Ｂが接続辺２５Ｂを有するようにしてもよい。この場合、インシュレータ４は、一つの第二の絶縁部４２と、一つの第二のシール部４３とを有するようにしてもよい。
【０１９６】
また、上記実施形態において、インシュレータ４は、第一の絶縁部４０、第一のシール部４１、第二の絶縁部４２、第二のシール部４３を有するようになっていたが、これに限定されるものではない。例えば、インシュレータ４は、第二の絶縁部４２、第二のシール部４３を有するようにしてもよい。尚、第一のシール部４１は、スペーサ２の延出部２２Ａ、２３Ｂにあってもよく、或いは、スペーサ２の延出部２２Ａ、２３Ｂとインシュレータ４の第一の絶縁部４０の間に、独立してシール部材があってもよい。また、インシュレータ４と保持部材３が一体型であってもよい。
【０１９７】
上記実施形態において、吸気ファンを用いて冷却用の流体を通風路２３Ａ，２４Ｂへ流し込む構成としていたが、これに限定されない。例えば、吸気ファンの代わりに排気ファンを用い、流体を吐き出す力を用いて冷却用の流体を通風路２３Ａ，２４Ｂへ流す構成としてもよい。
【０１９８】
排気ファンを用いた場合、蓄電素子１の冷却に寄与しない流体（通風路２３Ａ，２４Ｂを通過しない流体）が、保持部材３とスペーサ２との間の隙間を通じて発生し得る。しかし、インシュレータ４の第一のシール部４１、第二のシール部４３によって、保持部材３とスペーサ２との間の隙間を通過する流体を抑制できる。そのため、通風路２３Ａ，２４Ｂを流れる冷却用の流体が減少することを抑えることができる。
【符号の説明】
【０１９９】
１…蓄電素子、２…スペーサ、２Ａ…内部スペーサ、２Ｂ…外部スペーサ、３…保持部材、４…インシュレータ、５…ダクト、１０…ケース、１１…外部端子、２０Ａ…ベース、２０Ｂ…ベース、２１Ａ…規制部、２１Ｂ…規制部、２２Ａ…延出部、２２Ｂ…嵌合部、２３Ａ，２４Ｂ…通風路、２３Ｂ…延出部、２５Ｂ…接続辺、３０…終端部材、３１…フレーム、３１Ａ…第一連結部材、３１Ｂ…第二連結部材、４０…第一の絶縁部、４１…第一のシール部、４２…第二の絶縁部、４３…第二のシール部、１００…ケース本体、１００ａ…閉塞部、１００ｂ…胴部、１００ｃ…第一壁、１００ｄ…第二壁、１０１…蓋板、２００Ａ…第一当接部、２００Ｂ…内部接触部、２０１Ａ…第二当接部、２０２Ａ…連設部、２１０Ａ…第一規制部、２１０Ｂ…第一規制部、２１１Ａ…第二規制部、２１１Ｂ…第二規制部、２１２Ａ…第三規制部、２１２Ｂ…第三規制部、２１３Ａ…第四規制部、２１３Ｂ…第四規制部、２２０Ａ…基準面、２２１Ａ…第一の被当接面、２２２Ａ…第二の被当接面、２３０Ｂ…基準面、２３１Ｂ…第一の被当接面、２３２Ｂ…第二の被当接面、２５０Ｂ…基準面、２５１Ｂ…第一の被押圧面、２５２Ｂ…第二の被押圧面、３００ｂ…貫通穴、３１０…第一接続部、３１１…第二接続部、３１２…支持部、３１２ａ…第一支持部、３１２ｂ…第二支持部、３１３…固定部、３１３ａ…第一固定部、３１３ｂ…第二固定部、３１３ｃ…第一穴部、３１３ｄ…第二穴部、４１０，４１１…シール部、４３０，４３１…シール部
【図１】
0006603556.tif 000002
【図２】
0006603556.tif 000003
【図３】
0006603556.tif 000004
【図４】
0006603556.tif 000005
【図５】
0006603556.tif 000006
【図６】
0006603556.tif 000007
【図７】
0006603556.tif 000008
【図８】
0006603556.tif 000009
【図９】
0006603556.tif 000010
【図１０】
0006603556.tif 000011
【図１１】
0006603556.tif 000012
【図１２】
0006603556.tif 000013